(57)【要約】【課題】  強度を必要とする部位にも使用できると共に、竹が持つ審美性を活かした装飾材として使用でき、又、青竹の場合は、乾燥を抑制して褐変を抑え、竹の青さを長く維持できるようにした竹建材の提供。【解決手段】  竹材の節間空間にセメント系固形材が充填された竹建材である。竹材５が、全ての節壁５１を除去させることで全ての節間空間５５，５５同士を連通させた連続節間空間が全長に亘って形成された節付き竹材５ａであって、この節付き竹材の連続節間空間にセメント系固形材６が充填されている。【選択図】  図３
2007040074.tif 000002
【特許請求の範囲】
【請求項１】
竹材の節間空間にセメント系固形材が充填されていることを特徴とした竹建材。
【請求項２】
竹材が、竹の節間で両端を切断した節無し竹材であって、この節無し竹材の節間空間にセメント系固形材が充填されていることを特徴とした竹建材。
【請求項３】
竹材が、一端部が節壁で閉鎖され、他端が開放した節付き竹材であって、この節付き竹材の節間空間にセメント系固形材が充填されていることを特徴とした竹建材。
【請求項４】
竹材が、全ての節壁を除去させることで全ての節間空間同士を連通させた連続節間空間が全長に亘って形成された節付き竹材であって、この節付き竹材の連続節間空間にセメント系固形材が充填されていることを特徴とした竹建材。
【請求項５】
竹材の外周が箍締めされている請求項１〜４のいずれかに記載の竹建材。
【請求項６】
セメント系固形材がコンクート又はモルタルである請求項１〜５のいずれかに記載の竹建材。
【発明の詳細な説明】
【技術分野】
【０００１】  本発明は竹を利用した建築用材料としての竹建材に関する。
【背景技術】
【０００２】  従来、竹を利用した建築用材料としては、竹をチップにしてプレス成型したもの（特許文献１参照）、竹を長さ方向に分割したのちプレスして平板に形成し、この平板を互いに接着して複層材としたもの（特許文献２参照）等、種々のものが提案されている。【０００３】  しかしながら、これら従来の竹建材は、いずれも竹をチップや平板にしたもので、外観的には竹そのものの外観とは異なり、竹が持つ審美性を活かすことができないものであった。【０００４】  なお、従来、竹そのものを柱等の竹建材として使用した建築物が見受けられるが、これらは竹を装飾材として用いたものであり、強度を必要とする部位には使用できないものであった。
【特許文献１】  特開平７−２１７０５５号公報
【特許文献２】  特開平１０−２０５０６５公報
【発明の開示】
【発明が解決しようとす課題】
【０００５】  本発明は、強度を必要とする部位にも使用できると共に、竹が持つ審美性を活かした装飾材として使用でき、又、青竹の場合は、乾燥を抑制して褐変を抑え、竹の青さを長く維持できるようにした竹建材を提供することを課題としている。
【課題を解決するための手段】
【０００６】  上記の課題を解決するために、本発明の竹建材（請求項１）は、
竹材の節間空間にセメント系固形材が充填されている構成とした。
【０００７】  又、本発明の竹建材（請求項２）は、
竹材が、竹の節間で両端を切断した節無し竹材であって、この節無し竹材の節間空間にセメント系固形材が充填されている構成とした。
【０００８】  又、本発明の竹建材（請求項３）は、
竹材が、一端部が節壁で閉鎖され、他端が開放した節付き竹材であって、この節付き竹材の節間空間にセメント系固形材が充填されている構成とした。
【０００９】  又、本発明の竹建材（請求項４）は、
竹材が、全ての節壁を除去させることで全ての節間空間同士を連通させた連続節間空間が全長に亘って形成された節付き竹材であって、この節付き竹材の連続節間空間にセメント系固形材が充填されている構成とした。
【００１０】  又、本発明の竹建材（請求項５）は、竹材の外周が箍締めされている態様とした。
【００１１】  又、本発明の竹建材（請求項６）は、セメント系固形材がコンクート又はモルタルである態様とした。
【発明の効果】
【００１２】  本発明の竹建材は、竹材の節間空間にセメント系固形材が充填されている構成に特徴がある。
このように、竹材として節間空間を持った円筒体のままで使用するため、外観的には竹であり、竹が持つ審美性を活かした装飾材として使用できる。
【００１３】  又、節間空間に充填するセメント系固形材（例えば、コンクート又はモルタル）は、水分を含んだ流動体の状態で打設され、徐々に乾燥していくもので、完全に乾燥するまでの間は水分で竹材が内部から潤される。
従って、竹材が青竹の場合には、その水分によって竹材の乾燥が抑制され、褐変が抑えられて竹の青さを長く維持することができる。
なお、実験では、竹材のままのものに比べ、節間空間にコンクートを充填した本発明の竹建材は、褐変までの期間が１０倍以上も長くなったとの結果を得た。
又、セメント系固形材の水分によって竹材の乾燥が抑制されるため、竹材の割れも抑えることができる。
【００１４】  又、竹材は、それ自身である程度の圧縮強度、引っ張り強度、曲げ強度を有するもので、それに加えて節間空間にセメント系固形材が充填されているため、このセメント系固形材によって強度が向上し、強度を必要とする部位に使用することができる。
又、火災によって竹材が焼けたとしても、節間空間に充填したセメント系固形材によって強度を保持することができる。
【００１５】  又、竹材が型枠になるため、セメント系固形材の打設作業が容易にでき、セメント系固形材を容易かつ確実に充填することができる。同時に、竹材がセメント系固形材を包み込む状態になるため、このセメント系固形材の乾燥を抑制させて強度の増大を得ることができるし、竹材の褐変を抑えることができる。
【００１６】  また、竹材の外周を箍締めさせると（請求項５）、竹材の割れを抑制できるし、竹材が割れてもその割れ目が開くのを防止することができる。
【発明を実施するための最良の形態】
【００１７】  図１は本発明の請求項１及び請求項２に対応した第１実施例の竹建材を示す断面図である。
この竹建材Ａは、竹材１が、竹の節間で両端を切断した節無し竹材１ａであって、この節無し竹材１ａの節間空間１５にセメント系固形材２が充填されている。
この場合、竹材１が節無し竹材１ａであるため、その長さが最大でも１節間の短尺物になる。【００１８】  この実施例では、竹材１の外周から節間空間１５内に突出するように釘やスクリュー（木ネジ）等の連結具１８を打ち込み、この連結具１８を打ち込んだ状態で節間空間１５に生のセメント系固形材２を打設し固化させるようにして製造させている。
このように、連結具１８を用いることで、この連結具１８をセメント系固形材２の内部に埋設させることができ、竹材１とセメント系固形材２とを強固に一体化させることができる。
なお、この連結具１８を用いる構成は、以下の第２実施例の竹建材Ｂ及び第３実施例の竹建材Ｃにも適用できるのは勿論である。【００１９】  図２は本発明の請求項１及び請求項３に対応した第２実施例の竹建材を示す断面図である。
この竹建材Ｂは、竹材３が、下端部が節壁３１で閉鎖され、上端が開放した節付き竹材３ａであって、この節付き竹材３ａの節間空間３５にセメント系固形材４が充填されている。
この場合、仮想線Ｘで示すように、上端を節壁３２の下方で切断して短尺に形成してもよいし、又、連通させる節間空間３５の数を多くした連続節間空間を形成させて長尺に形成してもよい。【００２０】  図３は本発明の請求項１及び請求項４及び請求項５に対応した第３実施例の竹建材を示す断面図である。
この竹建材Ｃは、竹材５が、全ての節壁５１を除去させることで全ての節間空間５５，５５同士を連通させた連続節間空間が全長に亘って形成された節付き竹材５ａであって、この節付き竹材５ａの連続節間空間にセメント系固形材６が充填されている。
この場合、連通させる節間空間５５の数を少なくした連続節間空間を形成させて短尺に形成してもよいし、連通させる節間空間５５の数を多くした連続節間空間を形成させて長尺に形成してもよい。【００２１】  又、この実施例では、竹材５の外周を箍（タガ）７によって締め付けている。
箍としては、番線、バンド、ベルト等を用いることができるし、その材質も金属、プラスチック、竹等を使用でき、また、箍の取り付け位置も適宜に決定できる。【００２２】  この実施例では、セメント系固形材２の内部に埋設させて補強材６５（異径鉄筋、プラスチック筋等）を配筋させることで、セメント系固形材６の強度を補強させている。
製造に際しては、竹材５の節間空間５５内に補強材６５を挿入保持させ、その状態で節間空間５５に生のセメント系固形材６を打設し固化させるものである。【００２３】  なお、前記箍（タガ）７及び補強材１８を用いる構成は、前記した第１実施例の竹建材Ａ及び第２実施例の竹建材Ｂにも適用できるのは勿論である。【００２４】  なお、本発明の竹建材において、竹材としては、孟宗竹、真竹、淡竹、黒竹等の竹類（笹類含む）を使用できるが、節間空間にセメント系固形材を充填できるだけの太さを必要とする。【００２５】  又、長さも、１０ｃｍ〜１ｍ未満の短尺物から１ｍ〜１０ｍ程度の長尺物まで、必要に応じて決定できるもので、使用時に必要な長さに切断して用いることもできる。【００２６】  用途についても、柱材、支柱材、脚材、梁材、枠材等、建築用材料として適宜部位に使用できるが、竹が持つ審美性を活かすことを目的としているため、人目に付く場所が本来の使用場所となる。【００２７】  また、形状についても、直線に形成したり、湾曲状に形成したりすることができるし、竹材の表面に艶出し加工や焼き加工を施して装飾するなどは適宜にできる。
湾曲状に形成する場合、竹材を熱であぶったり、蒸気で加熱させたり等の加工で所定の形状に湾曲させ、その状態を保持させながら節間空間に生のセメント系固形材を打設させ、養生固化させるもので、セメント系固形材が固化すれば、形状を湾曲状に固定させることができる。【００２８】  セメント系固形材についても、コンクリートやモルタル以外に、軽量コンクリートや発泡コンクート、高流動コンクリート等を用いることができる。
なお、製造に際しては、流動性を有する生のセメント系固形材を節間空間に打設させることになるが、その打設方法は、竹材を立てた状態で上端の開口部から節間空間に流し込むようにしてもよいし、ホース等を用いて生のセメント系固形材を節間空間に送り込むようにするなど、適宜事項である。
【図面の簡単な説明】
【００２９】
【図１】  本発明の請求項１及び請求項２に対応した第１実施例の竹建材を示す断面図である。
【図２】  本発明の請求項１及び請求項３に対応した第２実施例の竹建材を示す断面図である。
【図３】  本発明の請求項１及び請求項４及び請求項５に対応した第３実施例の竹建材を示す断面図である。
【符号の説明】
【００３０】  Ａ  竹建材
１  竹材
１ａ  節無し竹材
１５  節間空間
１８  連結具
２  セメント系固形材
Ｂ  竹建材
３  竹材
３ａ  節付き竹材
３１  節壁
３２  節壁
３５  節間空間
４  セメント系固形材
Ｃ  竹建材
５  竹材
５ａ  節付き竹材
５１  節壁
５５  節間空間
６  セメント系固形材
６５  補強材
７  箍
【図１】
2007040074.tif 000003
【図２】
2007040074.tif 000004
【図３】
2007040074.tif 000005